(57)【要約】  板チョコレート（１）のように板状に製造された食品および／または嗜好品のためのパッケージであって、互いに重なる２つ以上の板のためのパッケージであり、各板（１）の全面が内装シート（２）に包まれ、包まれた前記板（１）が更に外装シート（３）によって包み込まれ、全ての板（１）が平らに重ねられて積層形態になり、かつ前記外装シートとしての単一の連続するシートに包まれ、該単一の連続する外装シート（３）は、前記２つ以上の板（１）の各々における少なくとも３つの隣り合う面を取り囲むように設けられることを特徴とするパッケージ。
2010513151.tif 000002
【特許請求の範囲】
【請求項１】
板チョコレート（１）のように板状に製造された食品および／または嗜好品のためのパッケージであって、互いに重なる２つ以上の板のためのパッケージであり、各板（１）の全面が内装シート（２）に包まれ、包まれた前記板（１）が更に外装シート（３）によって包み込まれ、全ての板（１）が平らに重ねられて積層形態になり、かつ前記外装シート（３）としての単一の連続するシートにそれぞれ包まれ、該単一の連続する外装シート（３）は、前記２つ以上の板（１）の各々における少なくとも３つの隣り合う面を取り囲むように設けられることを特徴とするパッケージ。
【請求項２】
板チョコレート（１）のように板状に製造された食品および／または嗜好品のためのパッケージであって、互いに重なる２つ以上の板のためのパッケージであり、各板（１）の全面が内装シート（２）に包まれ、包まれた板（１）が更に外装シート（３）によって包み込まれ、前記２つ以上の板（１）が平らに重ねられて積層形態になり、かつ前記２つ以上の板（１）が前記外装シート（３）としての単一の連続するシートにそれぞれ包まれ、該単一の連続する外装シート（３）は、前記２つ以上の板（１）の各々における４つの隣り合う面を取り囲むように設けられ、更に、前記各板（１）を包む前記内装シート（２）が封筒の形態で折り畳まれ、前記各板（１）における前記内装シート（２）の１つの封筒フラップ部（１７）が、前記各板（１）を取り囲む前記外装シート（３）の一部分（１６）に取付け好ましくは貼付けられていることを特徴とするパッケージ。
【請求項３】
板チョコレート（１）のように板状に製造された食品および／または嗜好品のためのパッケージであって、互いに重なる２つ以上の板のためのパッケージであり、各板（１）の全面が内装シート（２）に包まれ、包まれた板（１）が更に外装シート（３）によって包み込まれ、前記２つ以上の板（１）が平らに重ねられて積層形態になり、かつ前記２つ以上の板（１）が前記外装シート（３）としての単一の連続するシートにそれぞれ包まれ、該単一の連続する外装シート（３）は、前記２つ以上の板（１）の各々における少なくとも３つの隣り合う面を取り囲むように設けられ、更に前記外装シート（３）の全ての折り目が互いに平行に延びていることを特徴とするパッケージ。
【請求項４】
前記外装シート（３）が、積層状態にある全ての前記板（１）の一つの面（５）であって好ましくは長辺側の狭い面（５）を、閉じた本の背部（９）のようなかたちで覆うことを特徴とする請求項１、２または３に記載のパッケージ。
【請求項５】
前記外装シート（３）が、少なくとも２ページの本の形態を成すように複数の前記板（１）を取り囲むことを特徴とする請求項４に記載のパッケージ。
【請求項６】
２つだけの板（１）が外装シート（３）によって包み込まれ、前記外装シート（３）の内側舌部（１６）が、互いに重ねられた前記２つの板（１）の間に配置され、前記外装シート（３）が前記２つの板（１）の間の領域から始まって、前記２つの板（１）のうちの第１の板（１）を廻って外側に延び、前記第１の板（１）を廻ってから前記第２の板（１）を通って前記２つの板（１）の間の前記領域内に戻ることを特徴とする請求項４または５に記載のパッケージ。
【請求項７】
剛性が前記外装シート（３）より大きい厚紙のような挿入物（８）が、互いに重ねて配置された２つの板（１）の間に設けられることを特徴とする請求項１から６のいずれか一項に記載のパッケージ。
【請求項８】
前記挿入物（８）が、前記外装シート（３）の２つの内側舌部（１６）の間に配置されることを特徴とする請求項７に記載のパッケージ。
【請求項９】
前記外装シート（３）で包んだ前記板（１）の開封が、保護装置（１１）によって防がれることを特徴とする請求項１から８のいずれか一項に記載のパッケージ。
【請求項１０】
前記保護装置（１１）が、接着ラベル（１１）で構成されることを特徴とする請求項９に記載のパッケージ。
【請求項１１】
前記各板（１）の表側が封筒フラップ部（１７）の側に面することを特徴とする請求項２から１０のいずれか一項に記載のパッケージ。
【請求項１２】
前記各板（１）を包む前記内装シート（２）が封筒の形態で折り畳まれ、前記各板（１）における前記内装シート（２）の１つの封筒フラップ部（１７）が、前記各板（１）を取り囲む前記外装シート（３）の一部分（１６）に取付け好ましくは貼付けられ、前記各板（１）の表側が、前記封筒フラップ部（１７）の側に面することを特徴とする請求項１または３に記載のパッケージ。
【請求項１３】
２〜１０ｍｍであって好ましくは２〜５ｍｍの板厚（１４）に対応して前記外装シート（３）の寸法が設定されていることを特徴とする請求項１から１２のいずれか一項に記載のパッケージ。
【請求項１４】
前記外装シート（３）が少なくとも２つの板（１）を螺旋状に取り囲むことを特徴とする請求項１から１３のいずれか一項に記載のパッケージ。
【請求項１５】
前記外装シート（３）が少なくとも２つの板（１）を蛇行するようにして取り囲むことを特徴とする請求項１から１４のいずれか一項に記載のパッケージ。
【請求項１６】
前記外装シート（３）の両方の端部領域（７）が２つの板（１）の間のところで終端することを特徴とする請求項１から１５のいずれか一項に記載のパッケージ。
【発明の詳細な説明】
【技術分野】
【０００１】
本発明は、板チョコレートのように板状に製造された食品および／または嗜好品のためのパッケージ（包装手段、Verpackung）であって、互いに重なる２つ以上の板のためのパッケージであり、各板の全面が内装シートに包まれ、それら包まれた板が更に外装シートによって包み込まれるパッケージに関する。
【背景技術】
【０００２】
従来技術によれば、板チョコレートは、外装シート（帯巻）によって外周方向に閉じられる形式で包み込まれる。外装シートは板チョコレートの全周にわたって延在する閉じられたループ状の帯体を成し、外装シートの両端部が板チョコレートの裏面で互いに重なったところで終わっており、それら端部が互いに貼り付けられる。外装シートから取り出されるとき、板チョコレートは、上記の周方向に対して横方向に押し出され、それから内装シートから板チョコレートが出される。板チョコレートは通常、封筒の形態で折り畳まれた内装シートに包まれており、封筒のフラップ部が板チョコレートの底面すなわち裏面のところで終わっている。
【０００３】
上記のような板チョコレートが個々に流通に乗る場合、それらは運送に耐え、そしてそれぞれ店の棚に並べられ、顧客によって取られ、ショッピングバッグやバスケットなどに入れられるといった場合に割れないように、特定の最小厚さを必要とする。この最小厚さ未満の厚さにすることを望む場合、外装シートで厚紙も包み込み、その厚紙で各板を支える必要がある。
【０００４】
また上記のような厚紙が用いられない場合には、特に薄い板チョコレートのために、それぞれの板を外装シートによって包み込み、それらの板を積み重ね、運送に必要な剛性をもった別の箱の中に配置する必要がある。
【発明の概要】
【発明が解決しようとする課題】
【０００５】
本発明は、上述した欠点および問題を回避することを狙いとしており、本発明の目的は、板状に製造された食品および／または嗜好品のための冒頭で述べた種類の新規のパッケージであって、上記板を非常に薄くして市場に出すことができ、そして十分に割れを防ぎ、かつ最少量のパッケージ材料しか使用しないですむパッケージを提供することである。
【課題を解決するための手段】
【０００６】
本発明によれば、上記目的を達成するために、全ての板が平らに重ねられて積層形態とされ、それら板が単一の連続する外装シートでそれぞれ包まれ、この単一の連続する外装シートが、２つ以上の板の各々における少なくとも３つの隣り合う面を取り囲むように設けられる。
【０００７】
また一つの実施の形態は、板チョコレートのように板状に製造された食品および／または嗜好品のためのパッケージであって、互いに重なる２つ以上の板のためのパッケージであり、各板の全面が内装シートに包まれ、包まれた板が更に外装シートによって包み込まれ、前記２つ以上の板が平らに重ねられて積層形態になり、かつ前記２つ以上の板が前記外装シートとしての単一の連続するシートにそれぞれ包まれ、該単一の連続する外装シートは、前記２つ以上の板の各々における４つの隣り合う面を取り囲むように設けられ、更に、前記各板を包む前記内装シートが封筒の形態で折り畳まれ、前記各板における前記内装シートの１つの封筒フラップ部が、前記各板を取り囲む前記外装シートの一部分に取付け好ましくは貼付けられていることを特徴とする。
【０００８】
また、別の実施の形態は、板チョコレートのように板状に製造された食品および／または嗜好品のためのパッケージであって、互いに重なる２つ以上の板のためのパッケージであり、各板の全面が内装シートに包まれ、包まれた板が更に外装シートによって包み込まれ、前記２つ以上の板が平らに重ねられて積層形態になり、かつ前記２つ以上の板が前記外装シートとしての単一の連続するシートにそれぞれ包まれ、該単一の連続する外装シートは、前記２つ以上の板の各々における少なくとも３つの隣り合う面を取り囲むように設けられ、更に前記外装シートの全ての折り目が互いに平行に延びている。
【０００９】
以下の従来技術が知られている。
【００１０】
米国特許出願公開第２００５  ２５２  ８０９  Ａ１号は、２つの別個の区画（上側および下側区画）からなる食品および嗜好品などのためのパッケージを示している。それぞれの区画は別個の板紙封筒から形成される。封筒が折り畳まれ、それにより区画が形成される。その後、下側区画が空になったときに下側区画を切取り線に沿って後で切り離すことができるように、下側区画が上側区画に取り付けられる。
【００１１】
米国特許第２１９２４７３Ａ１号は、本の形式で開くことができるチューインガム用のパッケージを開示しており、このパッケージは、チューインガムの板ガム用の複数の（図面では６つの）区画を備える。ここでは、チューインガム用の個々の区画は、横に並べて構成される。
【００１２】
米国特許第２２１０１９６Ａ号は、アコーディオンのようにして複数のチューインガムをつなぐチューインガム用パッケージを開示している。個々の板ガムが積層形態に配置され、最初の板ガム以外については２つの面のみが共通の外装シートによって覆われる。
【００１３】
独国実用新案第９１００６２９Ｕ１号は、セルロース布の２つの積層のためのパッケージを示しており、２つの区画が形成され、各区画が２つの積層の一方を受け入れる。区画を形成するシートは、２つの互いに接続された複数回折り畳まれたシートから形成される。
【００１４】
本発明の好ましい変形例によれば、外装シートが、積層状態にある全ての板の一つの面であって好ましくは長辺側の狭い面を、閉じた本の背部のようなかたちで覆う。このようにすると、本のようにパッケージを開くことによって特に簡単にパッケージから板を取り出すことができる。
【００１５】
好ましくは、外装シートが、少なくとも２ページの本の形態を成すように複数の板を取り囲む。そして、本の構成における各ページに２つ以上の板を納めることが可能である。
【００１６】
好ましい変形例では、２つだけの板が外装シートによって包み込まれ、外装シートの内側舌部が、互いに重ねられた２つの板の間に配置され、外装シートが２つの板の間の領域から始まって、２つの板のうちの第１の板を廻って外側に延び、第１の板を廻ってから第２の板を通って２つの板の間の領域内に戻ることを特徴とする。
【００１７】
また好適な変形例は、剛性が外装シートより大きい厚紙のような挿入物が、互いに重ねて配置された２つの板の間に設けられることを特徴とする。挿入物は、板の積層全体の剛性を高める役割をすることができ、または単に、板の内容物および成分に関する情報を添える役割だけのものであってもよい。
【００１８】
好ましくは、挿入物は、外装シートの２つの部分の間に配置される。
【００１９】
別の好ましい実施の形態は、外装シートで包んだ板の開封が保護装置（device）によって防がれ、好適には保護装置が接着ラベルで構成されることを想定する。それにより、板を包装から出すとき、保護装置が除去または切断されなければならない。したがって、上記保護装置は、同時に、板を含むパッケージがまだ解かれていない、すなわち未開封であることを保証する証拠機能を提供する。
【００２０】
特に簡単な板の取出しのために、パッケージは、板を包む内装シートが封筒の形態で折り畳まれ、各板における内装シートの１つの封筒フラップ部が、各板を取り囲む外装シートの一部分に取付け好ましくは貼付けられ、各板の表側が、封筒フラップ部の側に面することを特徴とする。
【００２１】
外装シートは、好ましくは、２〜１０ｍｍであって好ましくは２〜５ｍｍの板厚に対応して寸法を設定されている。
【００２２】
外装シートは、少なくとも２つの板を螺旋状に取り囲み、また別の変形例によれば蛇行するようにして取り囲むことができる。
【００２３】
本発明の１つの特徴は、外装シートの両方の端部領域が２つの板の間の位置で終端することである。
【００２４】
以下、本発明を、図面に示すいくつかの例の実施の形態に基づいてさらに詳細に例示する。
【図面の簡単な説明】
【００２５】
【図１】本発明に係るパッケージを各種の構成例にて示す斜視図である。
【図２】本発明に係るパッケージを各種の構成例にて示す斜視図である。
【図３】本発明に係るパッケージを各種の構成例にて示す斜視図である。
【図４】本発明に係るパッケージを各種の構成例にて示す斜視図である。
【図５】本発明に係るパッケージを各種の構成例にて示す斜視図である。
【図６】本発明に係るパッケージを各種の構成例にて示す斜視図である。
【図７】本発明に係るパッケージを各種の構成例にて示す斜視図である。
【図８】本発明に係るパッケージを各種の構成例にて示す斜視図である。
【図９】本発明に係るパッケージを各種の構成例にて示す斜視図である。
【図１０】本発明に係るパッケージを各種の構成例にて示す斜視図である。
【図１１】本発明に係るパッケージを各種の構成例にて示す斜視図である。
【図１２】本発明に係るパッケージを各種の構成例にて示す斜視図である。
【図１３】本発明に係るパッケージを各種の構成例にて示す斜視図である。
【図１４】本発明に係るパッケージを各種の構成例にて示す斜視図である。
【図１５】本発明に係るパッケージを各種の構成例にて示す斜視図である。
【図１６】本発明に係るパッケージを各種の構成例にて示す斜視図である。
【図１７】本発明に係るパッケージを各種の構成例にて示す斜視図である。
【図１８】本発明に係るパッケージを各種の構成例にて示す斜視図である。
【図１９】本発明に係るパッケージを各種の構成例にて示す斜視図である。
【図２０】本発明に係るパッケージを各種の構成例にて示す斜視図である。
【図２１】本発明に係るパッケージを各種の構成例にて示す斜視図である。
【発明を実施するための形態】
【００２６】
図１によれば、本発明に従って２つの板チョコレート１が包装され、ここでは、板チョコレート１が例えばそれぞれ３５ｇであり、封筒の形態の内装シート２（Folie 2）、例えば銀色の内装シートまたは金色の内装シートで個別に包装されている。２つの板チョコレート１は互いに積み重ねられて置かれ、それら２つの板チョコレート１が外装シート３（Umschlagfolie 3 ； Folie 2とUmschlagfolie 3を区別するため、Folie 2 を内装シート２、Umschlagfolie 3を外装シート３と訳す、全体において同じ）によって周囲を覆われる。板チョコレート１の短辺側の狭い面４は外装シート３によって覆われていない。
【００２７】
外装シート３は板チョコレート１の間に延在し、折返し部分１０にて一方の板チョコレート１の長辺側の狭い面５を通り、更に外装シート３は該一方の板チョコレート１の外面６を通り、次いで２つの板チョコレート１の２つの狭い長辺側の面５を通り、そして第２の板チョコレート１の外面６を通り、再び折返し部分１０にて第２の板チョコレート１の長辺側の狭い面５を通り、そして２つの板チョコレート１の間の領域内に延びており、外装シート３の両方の端部領域７が２つの板チョコレート１の間に位置するところで終わっている。
【００２８】
外装シート３の２つの端部領域７の間に厚紙８が挿入されており、この厚紙８は、例えば製品に関する情報を印刷されることがある。
【００２９】
図１から分かるように、２つの板チョコレート１は、外装シート３と共に、背部９と２ページを含む本の形式のパッケージを成しており、この本は、板チョコレートの２つの狭い長辺側の面５および折返し部分１０を通るように延在する接着ラベル１１によって、開封されないようになっている。
【００３０】
図２および図４から分かるように、板チョコレート１は、封筒の封緘部１２が下を向くようにして外装シート３上に置かれる。外装シート３の寸法は、例えば各３５ｇの板チョコレート１のために長さ２２０ｍｍおよび幅１２１ｍｍに設定される。板チョコレート１の間の距離１３は、２つの板チョコレート１の厚さ１４よりもわずかに大きい。次いで、外装シート３の自由端部領域７が、板チョコレート１を覆うように置かれ、それにより２つの内側舌部１６が形成される。矢印１５の方向に折り畳むことによって図１に例示されるパッケージが形成され、厚紙８が挿入された後にパッケージに接着ラベル１１が取り付けられる。厚紙８は任意に設けられる。こうして得られるパッケージは、例えば５１×１２１×１４ｃｍの寸法を有する。
【００３１】
厚紙８は、必ずしも必要ではない。非常に薄い板チョコレート１が、積み重ねられた状態で運送中に割れない十分な安定性を示す限り、厚紙８をなくすこともできる。これに関連して、板チョコレート１に使用される従来の帯体と比較して、２つの内側舌部１６と外装シート３の縁部とだけによってもパッケージとしての強度がかなり増加することに留意しなければならない。
【００３２】
接着ラベル１１は、その形状に関して様々に構成されてよい。接着ラベル１１ではなく、連続する帯体で外装シート３を囲むことも考えられ、または、内側舌部１６同士を互いに当接する面で貼り付けることも考えられる。
【００３３】
また、図３には、厚紙を有さない場合のパッケージが示されている。
【００３４】
パッケージ１の開封は図４に従って、接着ラベル１１を剥がしてから、または破って開けてから行われる。その後にパッケージが畳んだ状態から広げられ、すなわち本が開かれ、２つの板チョコレート１を取り出すことができる。２つの内装シート２の各々において、封筒フラップ部１７の１つを外装シート３に取り付け、例えば貼り付けると有利であり、それにより、図４に例示されるように、板チョコレート１を持ち上げたときに封筒フラップ部１７が自動的に開く。このとき、好ましくは、板チョコレート１の美しい上面１８が人に見えるようになっており、この上面１８には装飾模様を施されることもある。従来、板チョコレート１は、封筒フラップ部が開かれたときに最初に板チョコレートの裏面が見えるように包装されている。
【００３５】
図６は、図４と同様に内装シートの開封を示しているが、ここでは、封筒フラップ部１７が内側舌部１６の内側に取り付けられている。
【００３６】
外装シート３に封筒フラップ部１７を貼り付けることによって、板チョコレート１が外装シート３から滑り出ることも確実に防止される。
【００３７】
図８〜図１１に、互いに積み重ねられた３つの板チョコレート１のための本発明に係るパッケージが示されている。ここでは、板チョコレート１の１つは、図１の構成例と同様にして外装シート３によって包まれている。他の２つの板チョコレート１は互いに重なっており、それら他の２つの板チョコレート１は、螺旋状に延在する外装シート３によって包まれている。
【００３８】
図１２〜図１６は、４つの積み重ねられた板チョコレート１のための変形例を示しており、２つずつの板チョコレート１がそれぞれ上記と同様にして螺旋状に延在する外装シート３によってくるまれている。
【００３９】
図１５および図１６は、板チョコレート１の内装シート２の封筒フラップ部１７を外装シート３に取り付ける各種の形態を示しており、各形態に従って様々な方法で開封が行われることになる。
【００４０】
図１７の変形例では、４つの板チョコレート１が積み重ねられ、１つのパッケージ内にまとめて包装されている。外装シート３は、一方では１つの板チョコレート１をくるみ、他方では３つの板チョコレート１をくるんでおり、外装シート３はここでも３つの板チョコレート１を通るように螺旋状に延在している。この構成でも、背部９と２ページとを有する本の形態でのパッケージが形成され、ページの一方が３つの板チョコレート１を含み、他方がただ１つの板チョコレート１を含んでいる。
【００４１】
図１８は、４つの積み重ねた板チョコレート１のためのさらなる実施の形態を示しており、図１８によれば、図１７とは異なり、外装シート３が、３つの板チョコレート１を通るように蛇行状に延在する。
【００４２】
また、図１９には、４つの板チョコレート１を蛇行状に抱き込む構成が示されている。
【００４３】
図２０は、２つの板チョコレート１のパッケージに関する変形例を示しており、この変形例によれば、板チョコレート１は、本の形式では包装されない。このパッケージでは、板チョコレート１の両方の狭い長辺側の面５のどちらからでもパッケージを開封することができるようにしており、したがって、パッケージの両方の長辺側の面が接着ラベル１１で封じられる必要がある。
【００４４】
さらに、図２１は、互いに積み重ねられた５つの板チョコレート１のための変形例を示しており、この場合も、本の背部９が形成される。
【００４５】
また、最初に、すなわち本発明に従って外装シートに包む前に、各々の板チョコレートまたは他の板状の食品および／または嗜好品を、封筒の代わりに筒状袋体で包装することも考えられることはもちろんである。
【００４６】
用語「内装シート」および「外装シート」はそれぞれ、任意の薄い可撓性のシートを含み、すなわちプラスチック、金属、紙などからなるものも含まれる。
【００４７】
本発明に係る全てのパッケージタイプに関して、内装シート２で個別に包まれた各板チョコレート１の少なくとも３面が外装シートによって保護するように覆われ、それらの３つの面のうちの２面は、表面積が最大の面であることが重要である。
【図１】
2010513151.tif 000003
【図２】
2010513151.tif 000004
【図３】
2010513151.tif 000005
【図４】
2010513151.tif 000006
【図５】
2010513151.tif 000007
【図６】
2010513151.tif 000008
【図７】
2010513151.tif 000009
【図８】
2010513151.tif 000010
【図９】
2010513151.tif 000011
【図１０】
2010513151.tif 000012
【図１１】
2010513151.tif 000013
【図１２】
2010513151.tif 000014
【図１３】
2010513151.tif 000015
【図１４】
2010513151.tif 000016
【図１５】
2010513151.tif 000017
【図１６】
2010513151.tif 000018
【図１７】
2010513151.tif 000019
【図１８】
2010513151.tif 000020
【図１９】
2010513151.tif 000021
【図２０】
2010513151.tif 000022
【図２１】
2010513151.tif 000023
【手続補正書】
【提出日】平成21年8月3日(2009.8.3)
【手続補正１】
【補正対象書類名】明細書
【補正対象項目名】０００６
【補正方法】変更
【補正の内容】
【０００６】
本発明によれば、上記目的を達成するために、全ての板が平らに重ねられて積層形態とされ、それら板が単一の連続する外装シートでそれぞれ包まれ、この単一の連続する外装シートが、２つ以上の板の各々における少なくとも３つの隣り合う面を取り囲むように設けられ、更に前記外装シート（３）の全ての折り目が互いに平行に延びている。
【手続補正２】
【補正対象書類名】明細書
【補正対象項目名】０００７
【補正方法】変更
【補正の内容】
【０００７】
また一つの実施の形態は、板チョコレートのように板状に製造された食品および／または嗜好品のためのパッケージであって、互いに重なる２つ以上の板のためのパッケージであり、各板の全面が内装シートに包まれ、包まれた板が更に外装シートによって包み込まれ、全ての板が平らに重ねられて積層形態になり、重ねられた全ての前記板が単一の連続する前記外装シート（３）にそれぞれ包まれ、前記外装シート（３）は前記２つ以上の板（１）における各々の前記板（１）の隣り合う３つ以上であって好ましくは４つの面を取り囲み、更に、前記各板を包む前記内装シートが封筒の形態で折り畳まれ、前記各板における前記内装シートの１つの封筒フラップ部が、前記各板を取り囲む前記外装シートの一部分に取付け好ましくは貼付けられていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００３０
【補正方法】変更
【補正の内容】
【００３０】
図２および図４から分かるように、板チョコレート１は、封筒の封緘部１２が下を向くようにして外装シート３上に置かれる。外装シート３の寸法は、例えば各３５ｇの板チョコレート１のために長さ２２０ｍｍおよび幅１２１ｍｍに設定される。板チョコレート１の間の距離１３は、２つの板チョコレート１の厚さ１４よりもわずかに大きい。次いで、外装シート３の自由端部領域７が、板チョコレート１を覆うように置かれ、それにより２つの内側舌部１６が形成される。矢印１５の方向に折り畳むことによって図１に例示されるパッケージが形成され、厚紙８が挿入された後にパッケージに接着ラベル１１が取り付けられる。厚紙８は任意に設けられる。こうして得られるパッケージは、例えば５１×１２１×１４ｍｍの寸法を有する。 
【手続補正５】
【補正対象書類名】特許請求の範囲
【補正対象項目名】全文
【補正方法】変更
【補正の内容】
【特許請求の範囲】
【請求項１】
板チョコレート（１）のように板状に製造された食品および／または嗜好品のためのパッケージであって、互いに重なる２つ以上の板のためのパッケージであり、各板（１）の全面が内装シート（２）に包まれ、包まれた前記板（１）が更に外装シート（３）によって包み込まれ、全ての板（１）が平らに重ねられて積層形態になり、重ねられた前記全ての板（１）が前記外装シート（３）としての単一の連続するシートに包まれ、該単一の連続する外装シート（３）は各々の前記板（１）における少なくとも３つの隣り合う面を取り囲むように設けられ、更に前記外装シート（３）の全ての折り目が互いに平行に延びていることを特徴とするパッケージ。
【請求項２】
重ねられた全ての前記板が単一の連続する前記外装シート（３）にそれぞれ包まれ、前記外装シート（３）は前記２つ以上の板（１）における各々の前記板（１）の隣り合う３つ以上であって好ましくは４つの面を取り囲み、更に、前記各板（１）を包む前記内装シート（２）が封筒の形態で折り畳まれ、前記各板（１）における前記内装シート（２）の１つの封筒フラップ部（１７）が、前記各板（１）を取り囲む前記外装シート（３）の一部分（１６）に取付け好ましくは貼付けられていることを特徴とする請求項１に記載のパッケージ。
【請求項３】
前記外装シート（３）が、積層状態にある全ての前記板（１）の一つの面（５）であって好ましくは長辺側の狭い面（５）を、閉じた本の背部（９）のようなかたちで覆うことを特徴とする請求項１または２に記載のパッケージ。
【請求項４】
前記外装シート（３）が、少なくとも２ページの本の形態を成すように複数の前記板（１）を取り囲むことを特徴とする請求項３に記載のパッケージ。
【請求項５】
２つだけの板（１）が外装シート（３）によって包み込まれ、前記外装シート（３）の内側舌部（１６）が、互いに重ねられた前記２つの板（１）の間に配置され、前記外装シート（３）が前記２つの板（１）の間の領域から始まって、前記２つの板（１）のうちの第１の板（１）を廻って外側に延び、前記第１の板（１）を廻ってから前記第２の板（１）を通って前記２つの板（１）の間の前記領域内に戻ることを特徴とする請求項３または４に記載のパッケージ。
【請求項６】
剛性が前記外装シート（３）より大きい厚紙のような挿入物（８）が、互いに重ねて配置された２つの板（１）の間に設けられることを特徴とする請求項１から５のいずれか一項に記載のパッケージ。
【請求項７】
前記挿入物（８）が、前記外装シート（３）の２つの内側舌部（１６）の間に配置されることを特徴とする請求項６に記載のパッケージ。
【請求項８】
前記外装シート（３）で包んだ前記板（１）の開封が、保護装置（１１）によって防がれることを特徴とする請求項１から７のいずれか一項に記載のパッケージ。
【請求項９】
前記保護装置（１１）が、接着ラベル（１１）で構成されることを特徴とする請求項８に記載のパッケージ。
【請求項１０】
前記各板（１）の表側が封筒フラップ部（１７）の側に面することを特徴とする請求項２から９のいずれか一項に記載のパッケージ。
【請求項１１】
前記各板（１）を包む前記内装シート（２）が封筒の形態で折り畳まれ、前記各板（１）における前記内装シート（２）の１つの封筒フラップ部（１７）が、前記各板（１）を取り囲む前記外装シート（３）の一部分（１６）に取付け好ましくは貼付けられ、前記各板（１）の表側が、前記封筒フラップ部（１７）の側に面することを特徴とする請求項１または２に記載のパッケージ。
【請求項１２】
２〜１０ｍｍであって好ましくは２〜５ｍｍの板厚（１４）に対応して前記外装シート（３）の寸法が設定されていることを特徴とする請求項１から１１のいずれか一項に記載のパッケージ。
【請求項１３】
前記外装シート（３）が少なくとも２つの板（１）を螺旋状に取り囲むことを特徴とする請求項１から１２のいずれか一項に記載のパッケージ。
【請求項１４】
前記外装シート（３）が少なくとも２つの板（１）を蛇行するようにして取り囲むことを特徴とする請求項１から１３のいずれか一項に記載のパッケージ。
【請求項１５】
前記外装シート（３）の両方の端部領域（７）が２つの板（１）の間のところで終端することを特徴とする請求項１から１４のいずれか一項に記載のパッケージ。
【国際調査報告】
2010513151.tif 000024
2010513151.tif 000025
2010513151.tif 000026
2010513151.tif 000027
2010513151.tif 000028
2010513151.tif 000029